(57)【特許請求の範囲】
【請求項１】
用便時に用いることができる携帯用マントであって、
マント本体が、
着用時に胸側に配置する前面シート材と、
着用時に背中側に配置する後面シート材と
を有し、
前記前面シート材の前面シート材側辺部と、前記後面シート材の後面シート材側辺部とを接合し、
前記前面シート材の前面シート材上辺側部と、前記後面シート材の後面シート材上辺側部とを接合し、
前記前面シート材の前面シート材上辺中央部と、前記後面シート材の後面シート材上辺中央部とを接合せず、
前記前面シート材の前面シート材下辺部と、前記後面シート材の後面シート材下辺部とを接合せず、
着用時には、
人体頭部を、前記前面シート材上辺中央部と前記後面シート材上辺中央部との間から通し、人体肩部を、前記前面シート材上辺側部と前記後面シート材上辺側部とに掛けて使用し、
携帯時には、
前記前面シート材と前記後面シート材とを重ねて折り畳め、
前記後面シート材上辺中央部に、脱着可能にフードを設け、
前記フードを、排泄器官を清拭できるパルプ材で形成した
ことを特徴とする携帯用マント。
【請求項２】
用便時に用いることができる携帯用マントであって、
マント本体が、
着用時に胸側に配置する前面シート材と、
着用時に背中側に配置する後面シート材と
を有し、
前記前面シート材の前面シート材側辺部と、前記後面シート材の後面シート材側辺部とを接合し、
前記前面シート材の前面シート材上辺側部と、前記後面シート材の後面シート材上辺側部とを接合し、
前記前面シート材の前面シート材上辺中央部と、前記後面シート材の後面シート材上辺中央部とを接合せず、
前記前面シート材の前面シート材下辺部と、前記後面シート材の後面シート材下辺部とを接合せず、
着用時には、
人体頭部を、前記前面シート材上辺中央部と前記後面シート材上辺中央部との間から通し、人体肩部を、前記前面シート材上辺側部と前記後面シート材上辺側部とに掛けて使用し、
携帯時には、
前記前面シート材と前記後面シート材とを重ねて折り畳め、
前記前面シート材には、前面シート材上辺部から前記前面シート材下辺部に至る切り取り線を設けた
ことを特徴とする携帯用マント。
【請求項３】
前記前面シート材の前記前面シート材側辺部と、前記後面シート材の前記後面シート材側辺部とを、側面シート材を介して接合する
ことを特徴とする請求項１又は請求項２に記載の携帯用マント。
【請求項４】
前記側面シート材が、側面シート材上辺部よりも側面シート材下辺部を長くした
ことを特徴とする請求項３に記載の携帯用マント。
【請求項５】
前記前面シート材よりも前記後面シート材を高さ方向に長くした
ことを特徴とする請求項１から請求項４のいずれか１項に記載の携帯用マント。
【請求項６】
前記後面シート材の前記前面シート材側の面に、排泄物捕捉部材を設けた
ことを特徴とする請求項１から請求項５のいずれか１項に記載の携帯用マント。
【発明の詳細な説明】
【技術分野】
【０００１】
本発明は、用便時に用いることができる携帯用マントに関する。
【背景技術】
【０００２】
特許文献１から特許文献４は、震災時や屋外レジャー時に用いることができる携帯用マントやトイレを開示している。
【先行技術文献】
【特許文献】
【０００３】
【特許文献１】特開２００６−２１４０６８号公報
【特許文献２】特開２００５−３１９２６６号公報
【特許文献３】特開２００１−１１５３０９号公報
【特許文献４】特開平０８−２１８２０７号公報
【発明の開示】
【発明が解決しようとする課題】
【０００４】
しかし、特許文献１から特許文献４は、折り畳んで携帯するには十分でない。
【０００５】
本発明は、携帯性に優れるとともに使用しやすい携帯用マントを提供することを目的とする。
【課題を解決するための手段】
【０００６】
請求項１記載の本発明の携帯用マント１０は、用便時に用いることができる携帯用マント１０であって、マント本体が、着用時に胸側に配置する前面シート材１１と、着用時に背中側に配置する後面シート材１２とを有し、前記前面シート材１１の前面シート材側辺部１１Ｓと、前記後面シート材１２の後面シート材側辺部１２Ｓとを接合し、前記前面シート材１１の前面シート材上辺側部１１Ｕｓと、前記後面シート材１２の後面シート材上辺側部１２Ｕｓとを接合し、前記前面シート材１１の前面シート材上辺中央部１１Ｕｃと、前記後面シート材１２の後面シート材上辺中央部１２Ｕｃとを接合せず、前記前面シート材１１の前面シート材下辺部１１Ｄと、前記後面シート材１２の後面シート材下辺部１２Ｄとを接合せず、着用時には、人体頭部を、前記前面シート材上辺中央部１１Ｕｃと前記後面シート材上辺中央部１２Ｕｃとの間から通し、人体肩部を、前記前面シート材上辺側部１１Ｕｓと前記後面シート材上辺側部１２Ｕｓとに掛けて使用し、携帯時には、前記前面シート材１１と前記後面シート材１２とを重ねて折り畳め、前記後面シート材上辺中央部１２Ｕｃに、脱着可能にフード２０を設け、前記フード２０を、排泄器官を清拭できるパルプ材で形成したことを特徴とする。
請求項２記載の本発明の携帯用マント１０は、用便時に用いることができる携帯用マント１０であって、マント本体が、着用時に胸側に配置する前面シート材１１と、着用時に背中側に配置する後面シート材１２とを有し、前記前面シート材１１の前面シート材側辺部１１Ｓと、前記後面シート材１２の後面シート材側辺部１２Ｓとを接合し、前記前面シート材１１の前面シート材上辺側部１１Ｕｓと、前記後面シート材１２の後面シート材上辺側部１２Ｕｓとを接合し、前記前面シート材１１の前面シート材上辺中央部１１Ｕｃと、前記後面シート材１２の後面シート材上辺中央部１２Ｕｃとを接合せず、前記前面シート材１１の前面シート材下辺部１１Ｄと、前記後面シート材１２の後面シート材下辺部１２Ｄとを接合せず、着用時には、人体頭部を、前記前面シート材上辺中央部１１Ｕｃと前記後面シート材上辺中央部１２Ｕｃとの間から通し、人体肩部を、前記前面シート材上辺側部１１Ｕｓと前記後面シート材上辺側部１２Ｕｓとに掛けて使用し、携帯時には、前記前面シート材１１と前記後面シート材１２とを重ねて折り畳め、前記前面シート材１１には、前面シート材上辺部１１Ｕから前記前面シート材下辺部１１Ｄに至る切り取り線１１Ｘを設けたことを特徴とする。
請求項３記載の本発明は、請求項１又は請求項２に記載の携帯用マント１０において、前記前面シート材１１の前記前面シート材側辺部１１Ｓと、前記後面シート材１２の前記後面シート材側辺部１２Ｓとを、側面シート材１３を介して接合することを特徴とする。
請求項４記載の本発明は、請求項３に記載の携帯用マント１０において、前記側面シート材１３が、側面シート材上辺部１３Ｕよりも側面シート材下辺部１３Ｄを長くしたことを特徴とする。
請求項５記載の本発明は、請求項１から請求項４のいずれか１項に記載の携帯用マント１０において、前記前面シート材１１よりも前記後面シート材１２を高さ方向に長くした
ことを特徴とする。
請求項６記載の本発明は、請求項１から請求項５のいずれか１項に記載の携帯用マント１０において、前記後面シート材１２の前記前面シート材１１側の面に、排泄物捕捉部材１４を設けたことを特徴とする。
【発明の効果】
【０００７】
本発明によれば、前面シート材と後面シート材とを重ねて折り畳めるため、折り畳みが容易で携帯性に優れるとともに、両腕をマント本体内に入れた状態で肩より下方を覆うことで用便しやすい。
【図面の簡単な説明】
【０００８】
【図１】本発明の一実施例による携帯用マントを示す構成図
【図２】本実施例による携帯用マントの使用方法を示す概念図
【図３】本実施例による携帯用マントの携帯方法を示す概念図
【図４】本実施例による携帯用マントの試作品の写真
【発明を実施するための形態】
【０００９】
本発明の第１の実施の形態による携帯用マントは、マント本体が、着用時に胸側に配置する前面シート材と、着用時に背中側に配置する後面シート材とを有し、前面シート材の前面シート材側辺部と、後面シート材の後面シート材側辺部とを接合し、前面シート材の前面シート材上辺側部と、後面シート材の後面シート材上辺側部とを接合し、前面シート材の前面シート材上辺中央部と、後面シート材の後面シート材上辺中央部とを接合せず、前面シート材の前面シート材下辺部と、後面シート材の後面シート材下辺部とを接合せず、着用時には、人体頭部を、前面シート材上辺中央部と後面シート材上辺中央部との間から通し、人体肩部を、前面シート材上辺側部と後面シート材上辺側部とに掛けて使用し、携帯時には、前面シート材と後面シート材とを重ねて折り畳め、後面シート材上辺中央部に、脱着可能にフードを設け、フードを、排泄器官を清拭できるパルプ材で形成したものである。本実施の形態によれば、前面シート材と後面シート材とを重ねて折り畳めるため、折り畳みが容易で携帯性に優れるとともに、両腕をマント本体内に入れた状態で肩より下方を覆うことで用便しやすい。また、フードによって頭部を覆うことができるとともにフードをトイレットペーパとして用いることができる。
【００１０】
本発明の第２の実施の形態による携帯用マントは、マント本体が、着用時に胸側に配置する前面シート材と、着用時に背中側に配置する後面シート材とを有し、前面シート材の前面シート材側辺部と、後面シート材の後面シート材側辺部とを接合し、前面シート材の前面シート材上辺側部と、後面シート材の後面シート材上辺側部とを接合し、前面シート材の前面シート材上辺中央部と、後面シート材の後面シート材上辺中央部とを接合せず、前面シート材の前面シート材下辺部と、後面シート材の後面シート材下辺部とを接合せず、着用時には、人体頭部を、前面シート材上辺中央部と後面シート材上辺中央部との間から通し、人体肩部を、前面シート材上辺側部と後面シート材上辺側部とに掛けて使用し、携帯時には、前面シート材と後面シート材とを重ねて折り畳め、前面シート材には、前面シート材上辺部から前面シート材下辺部に至る切り取り線を設けたものである。本実施の形態によれば、前面シート材と後面シート材とを重ねて折り畳めるため、折り畳みが容易で携帯性に優れるとともに、両腕をマント本体内に入れた状態で肩より下方を覆うことで用便しやすい。また、使用後には切り取り線で前面シート材を開いて脱衣できるため、排泄物の衣類への付着を防止できる。
【００１１】
本発明の第３の実施の形態は、第１又は第２の実施の形態による携帯用マントにおいて、前面シート材の前面シート材側辺部と、後面シート材の後面シート材側辺部とを、側面シート材を介して接合するものである。本実施の形態によれば、マント本体の内部空間を広くできる。
【００１２】
本発明の第４の実施の形態は、第３の実施の形態による携帯用マントにおいて、側面シート材が、側面シート材上辺部よりも側面シート材下辺部を長くしたものである。本実施の形態によれば、マント本体の下方空間を広くできる。
【００１３】
本発明の第５の実施の形態は、第１から第４のいずれかの実施の形態による携帯用マントにおいて、前面シート材よりも後面シート材を高さ方向に長くしたものである。本実施の形態によれば、特に前屈みにしゃがんだ状態でも後方を覆うことができる。
【００１４】
本発明の第６の実施の形態は、第１から第５のいずれかの実施の形態による携帯用マントにおいて、後面シート材の前面シート材側の面に、排泄物捕捉部材を設けたものである。本実施の形態によれば、準備に手間取ることがない。
【実施例】
【００１５】
以下本発明の一実施例について図面とともに説明する。
図１は本実施例による携帯用マントを示す構成図である。
図１（ａ）は本実施例による携帯用マントの着用時の全体構成図、図１（ｂ）は本実施例による携帯用マントの部材構成を示す分離図である。
本実施例による携帯用マントは、マント本体１０と、フード２０とを有している。
マント本体１０は、着用時に胸側に配置する前面シート材１１と、着用時に背中側に配置する後面シート材１２と、一対の側面シート材１３とを有している。
【００１６】
前面シート材１１の前面シート材側辺部１１Ｓと、後面シート材１２の後面シート材側辺部１２Ｓとを接合し、前面シート材１１の前面シート材上辺側部１１Ｕｓと、後面シート材１２の後面シート材上辺側部１２Ｕｓとを接合している。
前面シート材側辺部１１Ｓと後面シート材側辺部１２Ｓとは、側面シート材１３を介して接合する。
なお、前面シート材１１の前面シート材上辺中央部１１Ｕｃと、後面シート材１２の後面シート材上辺中央部１２Ｕｃとは接合せず、前面シート材１１の前面シート材下辺部１１Ｄと、後面シート材１２の後面シート材下辺部１２Ｄとは接合しない。
前面シート材上辺中央部１１Ｕｃと前面シート材上辺側部１１Ｕｓとで前面シート材上辺部１１Ｕを構成し、後面シート材上辺中央部１２Ｕｃと後面シート材上辺側部１２Ｕｓとで後面シート材上辺部１２Ｕを構成している。
側面シート材１３は、側面シート材上辺部１３Ｕよりも側面シート材下辺部１３Ｄを長くしている。
また、後面シート材１２は、前面シート材１１よりも高さ方向に長くしている。
前面シート材１１には、前面シート材上辺部１１Ｕから前面シート材下辺部１１Ｄに至る切り取り線１１Ｘを設けている。
また、後面シート材１２の前面シート材１１側の面には、排泄物捕捉部材１４を設けている。排泄物捕捉部材１４は、排泄物を捕捉するために用いる布や紙であり、いわゆるおむつとして用いられている素材を用いることができる。
【００１７】
後面シート材上辺中央部１２Ｕｃには、脱着可能にフード２０を設けている。フード２０は、排泄器官を清拭できるパルプ材で形成している。
【００１８】
図２は本実施例による携帯用マントの使用方法を示す概念図である。
図２（ａ）及び図２（ｂ）に示すように、着用時には、人体頭部を、前面シート材上辺中央部１１Ｕｃと後面シート材上辺中央部１２Ｕｃとの間から通し、人体肩部を、前面シート材上辺側部１１Ｕｓと後面シート材上辺側部１２Ｕｓとに掛けて使用する。また、フード２０を人体頭部に被せる。
図２（ｃ）に示すように、携帯用マントを着用後にしゃがみ、図２（ｄ）に示すように、排泄物捕捉部材１４をあてがう。
排泄物捕捉部材１４は、上端を後面シート材１２に接着しており、排泄物捕捉部材１４の下端を手前に引き出して用いる。
用便後には、図２（ｅ）に示すように、フード２０を切り離し、フード２０をトイレットペーパとして用いる。
そして図２（ｆ）に示すように、切り取り線１１Ｘによって前面シート材１１を切り開き脱衣する。
【００１９】
図３は本実施例による携帯用マントの携帯方法を示す概念図である。
図３（ａ）に示すように、前面シート材１１と後面シート材１２とを重ね合わせ、側面シート材１３を前面シート材１１と後面シート材１２との間に折り畳む。
そして、図３（ｂ）に示すように、フード２０の両側方を中央部に重ねて折り畳み、図３（ｃ）に示すように、折り畳んだフード２０を前面シート材１１及び後面シート材１２に重ねて折り畳む。
そして図３（ｄ）に示すように、前面シート材１１及び後面シート材１２を二つ折りにし、図３（ｅ）に示すように三つ折りにし、図３（ｆ）に示すように更に三つ折りにして平面視で正方形に折り畳む。
図３（ｆ）に示すように、一辺ｈの正方形に折り畳むことができ、ｈを２０ｃｍとすると、後面シート材１２の高さ方向長さは１２０ｃｍ、前面シート材１１及び後面シート材１２の幅は６０ｃｍとすることができる。
【００２０】
図４は本実施例による携帯用マントの試作品の写真である。
このように、本実施例によれば、前面シート材１１と後面シート材１２とを重ねて折り畳めるため、折り畳みが容易で携帯性に優れるとともに、両腕をマント本体１０内に入れた状態で肩より下方を覆うことで用便しやすい。
また、本実施例によれば、前面シート材側辺部１１Ｓと後面シート材側辺部１２Ｓとを、側面シート材１３を介して接合することで、マント本体１０の内部空間を広くできる。
また、本実施例によれば、側面シート材１３が、側面シート材上辺部１３Ｕよりも側面シート材下辺部１３Ｄを長くしているので、マント本体１０の下方空間を広くできる。
また、本実施例によれば、前面シート材１１よりも後面シート材１２を高さ方向に長くしているため、特に前屈みにしゃがんだ状態でも後方を覆うことができる。
また、本実施例によれば、フード２０によって頭部を覆うことができるとともにフード２０をトイレットペーパとして用いることができる。
また、本実施例によれば、後面シート材１２の前面シート材１１側の面に、排泄物捕捉部材１４を設けているので、準備に手間取ることがない。
また、本実施例によれば、使用後には切り取り線１１Ｘで前面シート材１１を開いて脱衣できるため、排泄物の衣類への付着を防止できる。
【産業上の利用可能性】
【００２１】
本発明の携帯用マントは、非常用として携帯性に優れている。
【符号の説明】
【００２２】
１０  携帯用マント
１１  前面シート材
１１Ｄ  前面シート材下辺部
１１Ｓ  前面シート材側辺部
１１Ｕ  前面シート材上辺部
１１Ｕｃ  前面シート材上辺中央部
１１Ｕｓ  前面シート材上辺側部
１１Ｘ  切り取り線
１２  後面シート材
１２Ｄ  後面シート材下辺部
１２Ｓ  後面シート材側辺部
１２Ｕ  後面シート材上辺部
１２Ｕｃ  後面シート材上辺中央部
１２Ｕｓ  後面シート材上辺側部
１３  側面シート材
１３Ｄ  側面シート材下辺部
１３Ｕ  側面シート材上辺部
１４  排泄物捕捉部材
２０  フード
ｈ  一辺
【要約】
【課題】携帯性に優れるとともに使用しやすい携帯用マントを提供すること。
【解決手段】本発明の携帯用マントは、前面シート材１１の前面シート材側辺部１１Ｓと、後面シート材１２の後面シート材側辺部１２Ｓとを接合し、前面シート材１１の前面シート材上辺側部１１Ｕｓと、後面シート材１２の後面シート材上辺側部１２Ｕｓとを接合し、前面シート材１１の前面シート材上辺中央部１１Ｕｃと、後面シート材１２の後面シート材上辺中央部１２Ｕｃとを接合せず、前面シート材１１の前面シート材下辺部１１Ｄと、後面シート材１２の後面シート材下辺部１２Ｄとを接合せず、着用時には、人体頭部を、前面シート材上辺中央部１１Ｕｃと後面シート材上辺中央部１２Ｕｃとの間から通し、人体肩部を、前面シート材上辺側部１１Ｕｓと後面シート材上辺側部１２Ｕｓとに掛けて使用し、携帯時には、前面シート材１１と後面シート材１２とを重ねて折り畳めることを特徴とする。
【選択図】        図１【図１】
0006840885.tif 000002
【図２】
0006840885.tif 000003
【図３】
0006840885.tif 000004
【図４】
0006840885.tif 000005